(57)【要約】【課題】受信中のアンサンブル以外のアンサンブルに含まれるサービスを容易に選局できるＤＡＢ放送受信装置を提供することである。【解決手段】本発明のＤＡＢ放送受信装置では、装置の電源投入時等に、受信中のアンサンブルに含まれるサービスに係る情報を得るようにして、所定の周波数範囲内にあるＤＡＢ放送の全てのアンサンブルを一つずつ実際に受信する（Ｓ１３〜Ｓ２３）ことにより、いずれかのアンサンブルに含まれるサービスのリストをメモリ３７に格納しておく。そして、ユーザが受信チャンネルを選局する際には、いずれかのアンサンブルに含まれるサービスのリストを第１メモリ３７から読み出して、表示手段で一覧表示する。ユーザは表示されたサービス一覧の中から所望の一つを選択することにより、容易に選局することが出来る。【選択図】　　　図２
2004134931.tif 000002
【特許請求の範囲】
【請求項１】
所定の周波数範囲内にあるＤＡＢ放送の全てのアンサンブルを順次検出するアンサンブルシーク手段と、前記シーク手段で検出された各アンサンブルに含まれる複数のサービス識別子を格納する第１メモリと、該第１メモリに格納された全てのサービス識別子にそれぞれ対応するラベルを一覧表示する表示手段とを備えることを特徴とするＤＡＢ放送受信装置。
【請求項２】
高速情報チャンネル（ＦＩＣ）におけるＦＩＧ　０／２及びＦＩＧ　１／１で伝送される、当該アンサンブルに含まれるサービスのサービス識別子及びサービスラベルを読み出して、サービス識別子とサービスラベルとを対応付けして前記第１メモリに格納することを特徴とする請求項１記載のＤＡＢ放送受信装置。
【請求項３】
多数のサービス識別子とサービスラベルとの対応関係を示す対応データを予め格納しておく第２メモリをさらに備え、
高速情報チャンネル（ＦＩＣ）におけるＦＩＧ　０／２で伝送される、当該アンサンブルに含まれるサービスのサービス識別子を読み出して前記第１メモリに格納し、該第１メモリに格納したサービス識別子と対応するサービスラベルを前記第２メモリに格納した対応データにより検索して、ＦＩＧ　０／２から読み出したサービス識別子とそのサービスラベルとを対応付けして前記第１メモリに格納することを特徴とする請求項１記載のＤＡＢ放送受信装置。
【請求項４】
前記表示手段で一覧表示をする際に、同一のアンサンブルに属すサービスは同一の色又は同一の明度で表示し、異なるアンサンブルに属すサービスは異なる色、又は異なる明度で表示することを特徴とする請求項１乃至請求項３のいずれか一つに記載のＤＡＢ放送受信装置。
【請求項５】
ユーザがＤＡＢ受信機を操作するための操作手段をさらに備え、前記操作手段を介してユーザが指示した一つのサービスを前記表示手段で表示されたサービスラベル一覧の中から特定し、該特定したサービスが含まれるアンサンブルを受信することを特徴とする請求項１乃至請求項４のいずれか一つに記載のＤＡＢ放送受信装置。
【発明の詳細な説明】
【０００１】
【発明の属する技術分野】
本発明は、ディジタル音声放送（Ｄｉｇｉｔａｌ　　Ａｕｄｉｏ　　Ｂｒｏａｄｃａｓｔｉｎｇ：以下略してＤＡＢ放送とも記す）を受信するＤＡＢ放送受信装置に関する。
【０００２】
【従来の技術】
従来のＤＡＢ放送受信装置においては、現在受信中のアンサンブル以外のアンサンブルに含まれるサービス（番組）の中から、ユーザ所望のサービスを容易に選局できるようにするために、現在受信中のアンサンブルで伝送される「アザーアンサンブル情報」を抽出して、ユーザが選局可能なサービスのリストを、現在受信していないアンサンブルで伝送されるサービスも含めて作成するようにしている。（例えば、特許文献１参照）
【０００３】
【特許文献１】
特開平９−２３２９８１号公報
【０００４】
ディジタル放送では、オーディオ情報信号や画像情報信号、文字情報信号などが所定のフォーマットで圧縮され、複数のサービスに対応できるように複数チャンネルの情報信号がデータ信号として多重化されて送信される。ディジタル音声を含む前記所定フォーマットのデータ信号を送受信するシステムとして、例えば欧州規格（Ｅｕｒｅｋａ　１４７）に準拠したＤＡＢシステムが実用化されている。
前記ＤＡＢシステムでは、１つのアンサンブルが複数のサービス（番組）で構成され、該各サービスは複数のコンポーネントで構成される。
図７はＤＡＢ放送におけるサービス構成を例示する図であるが、その詳細はＤＡＢの規格書に記載されているので説明を省略する。
【０００５】
図５はＤＡＢシステムにおける伝送フレームの構成を示す図である。送信されてくるＤＡＢ信号は直交周波数分割多重変調方式即ちＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）で変調されたＯＦＤＭ信号として送信され、図５に示す伝送フレーム（Ｔｒａｎｓｍｉｓｓｉｏｎ　　ｆｒａｍｅ）は、前記ＯＦＤＭ信号を復調した復調ＯＦＤＭ信号から得られる。
図５に示すように、復調ＯＦＤＭ信号における伝送フレームは、同期チャネル（Ｓｙｎｃｈｒｏｎｉｚａｔｉｏｎ　Ｃｈａｎｎｅｌ）、ＦＩＣ（Ｆａｓｔ　Ｉｎｆｏｒｍａｔｉｏｎ　Ｃｈａｎｎｅｌ：高速情報チャネル）、ＭＳＣ（Ｍａｉｎ　Ｓｅｒｖｉｃｅ　Ｃｈａｎｎｅｌ：メインサービスチャネル）のブロックで構成される。前記ＦＩＣは受信装置が番組を選局するのに必要な情報や番組に対する補助情報などを伝送し、前記ＭＳＣは音声やデータのサブチャンネル（Ｓｕｂ　Ｃｈａｎｎｅｌ）を伝送する。
【０００６】
１フレーム分の前記ＦＩＣは３つのＦＩＢ（Ｆａｓｔ　Ｉｎｆｏｒｍａｔｉｏｎ　Ｂｌｏｃｋ）と呼ばれるデータブロックからなり、ＭＳＣは伝送モードにより異なるが１乃至４のＣＩＦ（Ｃｏｍｍｏｎ　Ｉｎｔｅｒｌｅａｖｅｄ　Ｆｒａｍｅ）と呼ばれるデータブロックにより構成され、ＣＩＦ単位でタイムインターリーブがかけられている。前記ＣＩＦには複数のサブチャンネルが多重化されており、１つのサブチャンネルは一つの番組に相当する。従って、ユーザは一つの番組を受信しようとするときには、前記ＣＩＦから特定のサブチャンネルを選択して選局する。
ＤＡＢシステムでは、あるアンサンブルが受信されれば、そのアンサンブルに含まれる複数のサービス、コンポーネントに関する情報を得ることができ、受信周波数を変更することなく異なるサービス、コンポーネントへ瞬時に切り換えることが可能とされている。
【０００７】
前記伝送フレームの先頭には同期チャネルブロック（Ｓｙｎｃｈｒｏｎｉｚａｔｉｏｎ　Ｃｈａｎｎｅｌ　Ｂｌｏｃｋ）が設けられている。この同期チャネルブロックには、その先頭に粗同期用のＮＵＬＬシンボルが配置され、続いてＯＦＤＭ復調（例えば差分ＱＰＳＫ復調）のための基準位相を担う位相参照シンボル（ＰＲＳ）が配置されている。ＤＡＢ放送受信装置における選局はアンサンブルを単位として行い、他のアンサンブルを受信する場合には、受信周波数の変更が行われる。この受信周波数の変更に際しては、アンサンブルアップ／ダウンと言われるシーク操作（検索操作）によって受信可能なアンサンブルを検索して受信する。またユーザがＤＡＢ放送の受信を開始する場合にも、シーク操作（検索操作）によって受信可能なアンサンブルの検索をして受信する。
【０００８】
前記シーク操作は、ユーザがアップボタンを押した場合には、周波数の低い方から高い方へ検索が行われ、ダウンボタンを押した場合には、周波数の高い方から低い方へ検索が行われ、前記ＮＵＬＬシンボルが検出されたときにシークは終了する。前記ＮＵＬＬシンボルの検出は、誤検出を防止するために、３回以上連続して検出されたときに、ＮＵＬＬシンボルが検出されたものとしてシークを終了する。連続して３回以上検出することができなかったきは、ＮＵＬＬシンボルの検出ができなかったものとみなされる。
【０００９】
【発明が解決しようとする課題】
あるアンサンブルを受信するためのシーク操作（検索操作）は、前記したように、ＤＡＢの伝送フレームの先頭に配置されたＮＵＬＬシンボルを検出したときに終了する。
しかしながら、受信対象のサービスがどのアンサンブルで放送されているかが不明である場合、ユーザは、受信中のアンサンブルに受信したいサービスが含まれているか否かを判別し、含まれていなければさらに別のアンサンブルに切り換えて受信するようにして、所望のサービスが含まれるアンサンブルを受信できるまで選局操作を繰り返さなければならない。このため、選局に長時間を要すると言う問題がある。特に、ＤＡＢの送信周波数は細かい周波数ステップで多くの周波数が設定されていて、シーク対象の周波数が多く、シーク動作に多くの時間を要すると言う問題があった。
【００１０】
かかる問題を解決する方法が特開平９−２３２９８１号公報に開示されている。この文献に開示されている方法では、図５に示したＤＡＢ伝送フレーム中のＦＩＣ（高速情報チャンネル）で伝送される「アザーアンサンブル情報」に基づいて、現在受信中のアンサンブル以外のアンサンブルで伝送されるサービスの識別子（Ｓｉｄ）を検出し、この検出したサービス識別子（Ｓｉｄ）に対応するサービスラベルを表示手段で表示して、ユーザはその表示された中の一つのサービスを選択して受信する。前記アザーアンサンブル情報とは、現在受信中のアンサンブルとは異なるアンサンブルに関する情報である。
【００１１】
具体的には、前記ＦＩＣは複数のＦＩＧ（Ｆａｓｔ　Ｉｎｆｏｒｍａｔｉｏｎ　Ｇｒｏｕｐ）を含み、ＦＩＧには例えば、ＦＩＧ　０／２１（ｔｙｐｅ　０　ｆｉｅｌｄ　ｆｏｒ　ｅｘｔｅｎｓｉｏｎ　２１）やＦＩＧ　０／２４（ｔｙｐｅ　０　ｆｉｅｌｄ　ｆｏｒ　ｅｘｔｅｎｓｉｏｎ　２４）やＦＩＧ　０／２５（ｔｙｐｅ　０　ｆｉｅｌｄ　ｆｏｒ　ｅｘｔｅｎｓｉｏｎ　２５）などのアザーアンサンブル情報がある。
そして、あるアンサンブルを受信中に前記したアザーアンサンブル情報を抽出することにより、現在受信していないアンサンブルの周波数情報や、現在受信していないアンサンブルに含まれるサービスや、該サービスのサービスラベルを知ることができる。そして、それらを表示画面に表示させることにより、ユーザはその表示されたサービスラベルから一つのサービスを選択することにより選局することが出来る。
【００１２】
しかしながら、前記したアザーアンサンブル情報、すなわち、現在受信しているアンサンブル以外のアンサンブルに関する情報は、必ず放送されているとは限らず、アザーアンサンブル情報が放送されていない場合は、現在受信しているアンサンブル以外のアンサンブルに含まれるサービスに係る情報が得られず、他のアンサンブルで受信可能なサービスのリストを表示させることが出来ない。
本発明は前記問題点に鑑みてなされたものであり、その目的は、受信中のアンサンブル以外のアンサンブルに含まれるサービスを容易に、短時間で選局できるＤＡＢ放送受信装置を提供することである。
【００１３】
【課題を解決するための手段】
本発明は上記目的を達成するために次のような構成でなされたものである。
第１の発明は、所定の周波数範囲内にあるＤＡＢ放送の全てのアンサンブルを順次検出するアンサンブルシーク手段と、前記シーク手段で検出された各アンサンブルに含まれる複数のサービス識別子を格納する第１メモリと、該第１メモリに格納された全てのサービス識別子にそれぞれ対応するラベルを一覧表示する表示手段とを備えるＤＡＢ放送受信装置である。
【００１４】
第２の発明は、第１の発明のＤＡＢ放送受信装置において、高速情報チャンネル（ＦＩＣ）におけるＦＩＧ　０／２及びＦＩＧ　１／１で伝送される、当該アンサンブルに含まれるサービスのサービス識別子及びサービスラベルを読み出して、サービス識別子とサービスラベルとを対応付けして前記第１メモリに格納するようにしたＤＡＢ放送受信装置。
【００１５】
第３の発明は、第１の発明のＤＡＢ放送受信装置において、多数のサービス識別子とサービスラベルとの対応関係を示す対応データを予め格納しておく第２メモリをさらに備え、高速情報チャンネル（ＦＩＣ）におけるＦＩＧ　０／２で伝送される、当該アンサンブルに含まれるサービスのサービス識別子を読み出して前記第１メモリに格納し、該第１メモリに格納したサービス識別子と対応するサービスラベルを前記第２メモリに格納した対応データにより検索して、ＦＩＧ　０／２から読み出したサービス識別子とそのサービスラベルとを対応付けして前記第１メモリに格納するようにしたＤＡＢ放送受信装置である。
【００１６】
第４の発明は、第１乃至第３の発明のいずれかのＤＡＢ放送受信装置において、前記表示手段で一覧表示をする際に、同一のアンサンブルに属すサービスは同一の色又は同一の明度で表示し、異なるアンサンブルに属すサービスは異なる色、又は異なる明度で表示するようにしたＤＡＢ放送受信装置である。
【００１７】
第５の発明は、第１乃至第４の発明のいずれかのＤＡＢ放送受信装置において、
ユーザがＤＡＢ受信機を操作するための操作手段をさらに備え、前記操作手段を介してユーザが指示した一つのサービスを前記表示手段で表示されたサービスラベル一覧の中から特定し、該特定したサービスが含まれるアンサンブルを受信するようにしたＤＡＢ放送受信装置である。
【００１８】
【発明の実施の形態】
本発明のＤＡＢ放送受信装置では、該受信装置の電源投入時等に、受信中の各アンサンブルに含まれるサービスに関する情報を受信信号から得るようにして、所定の周波数範囲内にある全てのアンサンブルをシークし、いずれかのアンサンブルに含まれるサービス（番組）のリストを作成してメモリに格納しておく。
前記サービスリスト作成処理では、所定の周波数範囲内にあるＤＡＢ放送の全てのアンサンブルを一つずつ実際に受信することにより、当該アンサンブルに含まれる複数のサービス（番組）に係る情報を得て、メモリに格納しておく。
【００１９】
そして、所定の周波数範囲内にある全てのサービスをシークした後、ユーザが選局操作をするときには、いずれかのアンサンブルに含まれるサービスのリストを前記メモリから読み出して、表示手段で一覧表示する。ユーザが選局する際には、表示されたサービス一覧の中から所望の一つを指示し、ＭＰＵはユーザが指示したサービスを認識して特定し、ＤＡＢ放送受信装置は前記特定されたサービスが含まれるアンサンブルを受信する。このようにして、ユーザは、いずれかのアンサンブルに含まれているサービスの中から、所望のサービスを短時間で容易に選局することが出来る。
【００２０】
以下、本発明の実施の形態について図面を参照して説明する。
図１は、本発明ＤＡＢ放送受信装置の一例を示すブロック図である。以下、図１を基に本発明ＤＡＢ放送受信装置の実施例について説明する。このＤＡＢシステムでは、変調方式としてＯＦＤＭ（直交周波数分割多重方式：Ｏｒｔｈｏｇｏｎａｌ　Ｆｒｅｑｕｅｎｃｙ　Ｄｉｖｉｓｉｏｎ　Ｍｕｌｔｉｐｌｅｘ）が採用されているものとして説明する。
図１において、ＤＡＢ放送受信装置での受信開始の指示やシーク開始の指示はユーザから操作手段３３を介してＭＰＵ３１に与えられる。シーク時などに、受信するＤＡＢ放送の周波数情報は受信周波数設定信号としてＭＰＵ３１からフロントエンド１３のＰＬＬ１４に送られる。
【００２１】
フロントエンド１３では、アンテナ１１を介して設定された周波数のＤＡＢ搬送波が受信され、信号処理され、ディジタル信号処理が可能な所定の中間周波数信号（ＩＦ信号）に変換されてアナログ／ディジタル変換器（Ａ／Ｄ変換器）１５に出力される。Ａ／Ｄ変換器１５ではアナログ信号がディジタル情報信号に変換され、Ｉ／Ｑ１６に供給される。Ｉ／Ｑ１６とＦＦＴ１７とＤＳＰ１８とでＯＦＤＭ復調器２１を構成している。
【００２２】
Ｉ／Ｑ１６では、後段でＯＦＤＭ信号が処理できるように、Ｉ信号とＱ信号とに分割されＦＦＴ１７に供給される。ＦＦＴ１７とＤＳＰ（ディジタル演算装置）１８によって高速フーリエ変換が行われ、チャンネルデコーダ２３に供給される。チャンネルデコーダ２３では、信号の順番を元の順に戻すデ・インターリーブ（ｄｅ−ｉｎｔｅｒｌｅａｖｉｎｇ）や、誤り符号の検出や訂正などが行われる。またマイクロプロセッサ（ＭＰＵ）３１では前記誤り符号の訂正と共に、符号誤り率の算出が行われ、符号誤り率が予め定めた所定値より大なる時には、復号動作と該復号で得られる復号信号との送出を停止するためのミュート制御信号がＭＰＥＧデコーダ２７及びＤ／Ａ変換器２９に与えられる。
【００２３】
チャンネルデコーダ２３からは、選局されたサービスの圧縮されたオーディオ情報がＭＰＥＧデコーダ２７に供給され、ＭＰＥＧデコーダ２７では前記圧縮されたオーディオ情報が復号されて圧縮が解除され、ディジタル／アナログ変換器（Ｄ／Ａ変換器）２９でアナログ情報に変換されアナログオーディオ信号として出力される。
【００２４】
ＭＰＵ３１には操作手段３３、表示手段３５、第１メモリ３７、アンサンブルシーク手段３９、第２メモリ４１が接続される。操作手段３３はユーザがＤＡＢ放送受信装置１０を操作するための装置であり、例えば表示手段３５に表示されているサービスの一覧から、受信対象のサービスを指定するのに用いられる。表示手段３５は、複数のアンサンブルのいずれかに含まれる全てのサービスを一覧表示するための表示手段である。第１メモリ３７は複数のアンサンブルのいずれかに含まれるサービスのリストを格納するメモリであり、第２メモリ４１は、多数のサービスについて、サービス識別子とそのサービスラベルとの対応データを格納するメモリであるが、なくても良い場合がある。アンサンブルシーク手段３９は、ＤＡＢ放送受信装置の電源が投入されたとき、又はユーザが支持したときに、所定周波数の範囲内にあるアンサンブルを順次シークする手段である。
なお、前記第１メモリ３７と第２メモリ４１とを一つのメモリで構成しても良い。
【００２５】
図４はチャンネルデコーダ２３における信号処理手順を示すフローチャートである。図４において、ステップＳ４１では、図１のＯＦＤＭ復調器２１から出力された復調ＯＦＤＭ信号が処理される。すなわち、ステップＳ４１では、まず、周波数軸上での誤りをランダム化するためになされた周波数インターリーブを解除して元に戻すデ・インターリーブが行われ、図５に示す伝送フレームが得られる。
【００２６】
次に、前記ＦＩＣとＭＳＣとがステップＳ４３で分離される。ステップＳ４５ではＦＩＣのデータに対してビダビ復号が行われ、同時にステップＳ４７で符号誤り率の算出が行われる。前記ステップＳ４５とＳ４７は実際にはＭＰＵ３１によってほぼ同時に行われ、符号誤り率が予め定めた所定値より大なる時には、ＭＰＥＧオーディオ信号の復号と該復号された信号の送出とを停止するためのミュート制御信号がＤ／Ａ変換器２９に与えられる。前記ステップＳ４７での符号誤り率の算出は、ステップＳ４５におけるビダビ復号によってエラー訂正されたデータと、エラー訂正前のデータとを比較することによって行われる。次にステップＳ４９でスクランブルが解除され（デ・スクランブル）、ステップＳ５１ではＣＲＣチェックが行われ、制御信号としてマイクロプロセッサ（ＭＰＵ）３１に供給される。
【００２７】
ステップＳ５５では、複数のサブチャンネルのうち、ユーザが選局した番組に対応するサブチャンネルのデータがＭＰＵ３１から与えられる番組指定信号に基づいて分離される。次に、ステップＳ５７では、時間軸上での誤りをランダム化するためのタイムインターリーブを解除するタイム・デ・インターリーブが行われる。因みにＦＩＣに対しては、タイム・デ・インターリーブは行われない。そして、ステップＳ５９ではビダビ復号、ステップＳ６１でデ・スクランブルが行われ、ＤＡＢオーディオフレーム（ＤＡＢ　Ａｕｄｉｏ　ｆｒａｍｅ）が図１のＭＰＥＧデコーダ２７に出力される。なお、ステップＳ５９では、ＦＩＣの場合と同様に畳み込み符号化されたデータに対する符号誤りの検出と訂正がビダビ復号により行われる。
【００２８】
ＤＡＢ放送受信装置１０の電源が投入されたとき、又はユーザが指示したときに、アンサンブルシーク手段３９は所定の周波数範囲内にある全てのアンサンブルを順次シークする。
前記シーク時の動作は、具体的には次のようになる。即ち、シークが指示されたとき、受信する周波数を、ＭＰＵが内蔵する記憶手段（図示せず）に記憶された各アンサンブルの周波数の順に同調させていき、或る受信周波数でＮＵＬＬシンボルが検出されたときシークを一時的に中止し、自動周波数調整手段によって周波数調整を行わせて当該アンサンブルを受信し、ＮＵＬＬシンボルが検出されなければシークを続行する。前記ＮＵＬＬシンボルの検出を行うＮＵＬＬシンボル検出手段は、ＯＦＤＭ復調器２１のＦＦＴ１７とＤＳＰ１８等により構成される。
【００２９】
前記ＮＵＬＬシンボルが検出され、アンサンブルを受信できた場合は、ＭＰＵ３１は前記ＦＩＣで伝送されるＦＩＧ　０／２（ｔｙｐｅ　０　ｆｉｅｌｄ　ｆｏｒ　ｅｘｔｅｎｓｉｏｎ　２））のデータを抽出し、当該アンサンブルに含まれる複数のサービスのサービス識別子（ＳＩｄ）を第１メモリ３７に格納する。
図６はＦＩＧ　０／２のデータ構造を示す図である。同図に示すように、ＦＩＧ　０／２には現在受信中のアンサンブルに属する複数のサービスのサービス識別子（Ｓｉｄ）の情報が含まれている。
次に、ＦＩＧ　０／１（ｔｙｐｅ　０　ｆｉｅｌｄ　ｆｏｒ　ｅｘｔｅｎｓｉｏｎ　２））のデータを抽出する。ＦＩＧ　０／１には現在受信中のアンサンブルに属する複数のサービスのサービスラベルの情報が含まれているから、そのサービスラベルを前記ＦＩＧ　０／２から得たサービスＩｄと対応付けして、当該アンサンブルの周波数情報とも対応付けして第１メモリ３７に格納する。
【００３０】
同様にして、所定の周波数範囲にある全てのアンサンブルを順次シークして、各アンサンブルで抽出したサービス情報を第１メモリ３７に格納すると、第１メモリ３７には多数のサービス情報、すなわち、サービスＩｄ、サービスラベル、当該サービスが属するアンサンブルの周波数などが対応付けして格納されていることになる。
図３は第１メモリ３７に格納されるサービス情報を例示する図である。図３において、Ｎｏはサービス情報を格納した順に付した番号であり、例えばＮｏ３には、周波数がｆａのアンサンブルで抽出されたサービス識別子ＳＩｄｃと、このＳＩＤｃに対応するサービスラベルＳＬｃとが対応付けして格納されている。この他にも、第１メモリ３７に格納する項目として、アンサンブルラベルや、サービスＩｄに対応するプログラムタイプを対応付けして格納しても良い。
【００３１】
第１メモリ３７に格納されたサービス情報のリストは、ユーザが選局操作を開始すると、表示手段３５で一覧表示される。この一覧表示では、図３に例示したような、第１メモリ３７に格納されている全ての項目について表示しても良いが、その一部の項目のみ、例えばサービスラベルだけを一覧表示するようにしても良い。また、同一のアンサンブルに属するサービスが容易に視認できるように、アンサンブル別に色分けをして表示しても良く、アンサンブル別に明度を変えて表示しても良い。さらに、ＤＡＢにおけるプログラムタイプを表示する場合には、プログラムタイプ別に、明度や色を変えて表示しても良い。
【００３２】
図８は本発明に係るサービス一覧表示の実施例を示す図である。図８の（Ａ）はあるアンサンブルＥ１を受信しているときに表示されるサービス一覧であり、丸印のサービスは現在選択されているサービスを示す。また、斜線を引いたサービスは現在選択されているサービスと同一のアンサンブルに属するサービスを示し、輝度を高くする、色を変える、点滅するなどにより強調表示をする。図８の（Ｂ）はあるアンサンブルＥ１とは異なるアンサンブルＥ２を受信しているときに表示されるサービス一覧であり、丸印のサービスは現在選択されているサービスを示す。また、斜線を引いたサービスは現在選択されているサービスと同一のアンサンブルに属するサービスを示す。
【００３３】
ユーザが選局をする際には、表示手段３５で表示されたサービス情報の一覧から、操作手段３３により一つのサービスを指定することにより選局が行われる。ＭＰＵ３１は第１メモリ３７のサービスリストを参照し、ユーザが指定したサービスを含むアンサンブルの受信周波数をフロントエンド１３に与えることにより、ユーザが選択したサービスを含むアンサンブルが受信される。チャンネルデコーダ２３は受信されたアンサンブルからユーザが選択したサービスを分離してＭＰＥＧデコーダ２７に与える。
【００３４】
図２は本発明ＤＡＢ放送受信装置におけるサービスリスト作成処理を例示するフローチャートである。図２に示す処理は、ＤＡＢ放送受信装置１０の電源が投入されたとき、又はユーザからの要求により開始される。
図２において、ステップＳ１１では、ノイズが出力されないようにＭＰＥＧデコーダ２７及びＤ／Ａ２９へミュート信号を送ってミュートＯＮとし、ステップＳ１３へ進む。ステップＳ１３では、ＭＰＵ３１に格納されているアンサンブル周波数データから、次にシークするアンサンブルの周波数を読み出してステップＳ１５へ進む。ステップＳ１５では、前記読み出した周波数データをフロントエンド１３のＰＬＬ１４へ受信周波数データとして送り、ステップＳ１７へ進む。なお、アンサンブルのシークは周波数の低い方から高い方へ，又はその逆に順次行う。
【００３５】
ステップＳ１７では、ＯＦＤＭの復調開始を指示してステップＳ１９へ進み、ステップＳ１９では、ＮＵＬＬシンボルを検出したか否かを判別し、肯定であればステップＳ２１へ進み、否定であればステップＳ１３へ進む。ステップＳ２１では復調器の同期が取れたか否かを判別し、肯定であればステップＳ２３へ進み、否定であればステップＳ１３へ進む。ステップＳ２３ではＦＩＧ　０／２、ＦＩＧ　１／１を抽出し、受信中の当該アンサンブルに属するサービスのサービス識別子（ＳＩｄ）とサービスラベルとを読み出し、サービスＩｄ、サービスラベル、アンサンブルの周波数を対応付けして第１メモリ３７に格納してステップＳ２５へ進む。
【００３６】
ステップＳ２５では、所定の周波数範囲（バンド）全てをシーク（検索）したか否かを判別し、肯定であればステップＳ２７へ進み、否定であればステップＳ１３へ進む。ステップＳ２７ではミュートＯＦＦの信号をＭＰＥＧデコーダ２７及びＤ／Ａ２９へ送り、ステップＳ２９へ進む。ステップＳ２９では、第１メモリ３７に格納された前記サービス情報のリストを表示手段３５で表示する。この表示に際しては、第１メモリ３７に格納されたサービス情報を全て表示する必要はなく、一部の項目のみ、例えば、ＮｏとサービスＩｄとそのサービスラベルとを対応付けして一覧表示しても良い。これにより、所定の周波数範囲にあるいずれかのアンサンブルに含まれる全てのサービス（番組）が表示手段３５で一覧表示される。
【００３７】
なお、上記実施例では、図２に示すサービスリスト作成処理において、高速情報チャンネル（ＦＩＣ）におけるＦＩＧ　０／２及びＦＩＧ　１／１から、当該アンサンブルに含まれるサービスのサービス識別子及びサービスラベルを読み出して、サービス識別子とサービスラベルとを対応付けして前記第１メモリ３７に格納するようにしたが、ＦＩＧ　１／１でラベル情報が送信されていないこともあり得るので、予め、多数のサービス識別子とサービスラベルとの対応関係を示すデータを第２メモリ４１に格納しておくと良い。
【００３８】
すなわち、図１に示すように、複数のサービス識別子とサービスラベルとの対応関係を示すデータを予め格納しておく第２メモリ４１を備えて、多数のサービス識別子とサービスラベルとの対応関係を示すデータを、第２メモリ４１に予め格納しておく。
そしてサービスリストの作成処理においては、高速情報チャンネル（ＦＩＣ）におけるＦＩＧ　０／２で伝送される、当該アンサンブルに含まれるサービスのサービス識別子を読み出して前記第１メモリ３７に格納し、該第１メモリ３７に格納したサービス識別子と対応するサービスラベルを前記第２メモリ４１に格納した対応データにより検索して、ＦＩＧ　０／２から読み出したサービス識別子とそのサービスラベルとを対応付けして前記第１メモリ３７に格納するようにしても良い。
【００３９】
次に、ＤＡＢ放送受信装置１０でＤＡＢ放送を受信する場合について説明する。
図２に示すサービスリスト作成処理で全アンサンブルのシークが終了したとき、又はユーザが選局操作を開始したときに、第１メモリ３７に格納されているサービスリストを表示手段３５で一覧表示する。
ユーザは一覧表示されたサービスの中から、受信希望のサービスを操作手段３３を介して指定する。ＭＰＵ３１はユーザにより指定された一つのサービスを認識して特定し、当該サービスが含まれるアンサンブルの周波数を、受信周波数設定信号としてフロントエンド１３のＰＬＬ１４へ送る。フロントエンド１３は与えられた受信周波数のアンサンブルを受信し、チャンネルデコーダ２３では受信したアンサンブルから、ユーザにより指定されたサービスを抽出して、ＭＰＥＧデコーダ２７へ送出する。
【００４０】
以上詳細に述べた通り、本発明を適用した実施の形態によれば、ＤＡＢ放送受信装置の電源投入時等に、所定の周波数範囲内にあるＤＡＢ放送の全てのアンサンブルを一つずつ実際に受信することによって、受信中の当該アンサンブルに含まれるサービスに係る情報を得てメモリに格納しておく。こうして所定周波数範囲にある全てのアンサンブルをシークし、いずれかのアンサンブルに含まれるサービス全てのサービス識別子をメモリに格納しておく。
そして、ユーザが選局操作をするときには、メモリに格納されている前記サービスリストを表示手段で表示し、ユーザは表示されたサービス一覧の中から受信したい一つのサービスを選択することにより、短時間で、容易に選局することが出来る。
すなわち、選局に際してユーザは、受信対象のサービスが当該アンサンブルに含まれていない場合であっても、受信するアンサンブルを手動で繰り返し切替えることなく、複数のアンサンブルのいずれかに含まれるサービス（番組）の中から、所望のサービスを短時間で容易に選択することが出来る。
【図面の簡単な説明】
【図１】本発明ＤＡＢ放送受信装置の一例を示すブロック図である。
【図２】本発明ＤＡＢ放送受信装置におけるサービスリスト作成処理を例示するフローチャートである。
【図３】第１メモリ３７に格納されるサービス情報を例示する図である。
【図４】チャンネルデコーダにおける信号処理手順を示すフローチャートである。
【図５】ＤＡＢシステムにおける伝送フレームの構成を示す図である。
【図６】ＦＩＧ　０／２のデータ構造を示す図である。
【図７】ＤＡＢ放送におけるサービス構成を例示する図である。
【図８】本発明に係るサービス一覧表示の実施例を示す図である。
【符号の説明】
１３　　フロントエンド
１４　　位相同期回路（ＰＬＬ）
１５　　アナログ／ディジタル変換器（Ａ／Ｄ）
１６　　Ｉ／Ｑ
１７　　ＦＦＴ
１８　　ＤＳＰ
２１　　ＯＦＤＭ復調器
２３　　チャンネルデコーダ
２７　　ＭＰＥＧデコーダ
２９　　ディジタル／アナログコンバータ（Ｄ／Ａ）
３１　　マイクロプロセッサ（ＭＰＵ）
３３　　操作手段
３５　　表示手段
３７　　第１メモリ
３９　　アンサンブルシーク手段
４１　　第２メモリ
【図１】
2004134931.tif 000003
【図２】
2004134931.tif 000004
【図３】
2004134931.tif 000005
【図４】
2004134931.tif 000006
【図５】
2004134931.tif 000007
【図６】
2004134931.tif 000008
【図７】
2004134931.tif 000009
【図８】
2004134931.tif 000010